(57)【要約】      （修正有）【課題】温室栽培用の農業ハウスにおいて、農林害虫の多い温暖期には虫害や鳥害防止の役割を果たし、寒冷期には加温の役割を果たす、時期的に適宜使い分けができる農業シ−ト敷設ハウスを提供すること。【解決手段】ハウスの近周土壌面、ハウスのハウジング１の外面の一部、ハウス内土壌面に、一方の面が実質的に鏡面反射面、他方の面が実質的に黒色不織布面である農業マルチシ−ト材料を、どちらかの面を外面として敷設されているリバ−シブル農業マルチシ−ト敷設ハウスを提供した。  温暖期における外側が鏡面反射面の場合は、ぎらぎら反射する作用で農林害虫や鳥類が忌避し、ハウス内で発生する農林害虫をハウス域外への逃避を促す。寒冷期における外側が黒色不織布面の場合は、太陽光を吸収して敷設部分の土壌やハウス内の気温が加温される。【選択図】図１
0003109946.tif 000002
【実用新案登録請求の範囲】
【請求項１】
温室栽培用のハウスの近周土壌面、
および／または前記ハウスのハウジングの外面の一部、
および／またはハウス内土壌面に、
シ−ト表裏の一方の面が実質的に鏡面反射面、他方の面が実質的に黒色不織布面である農業マルチシ−ト材料が、
前記鏡面反射面、あるいは前記黒色不織布面を外面として、どちらかの面で敷設されていることを特徴とする、
リバ−シブル農業マルチシ−ト敷設ハウス。
【請求項２】
前記農業マルチシ−ト材料の層構造において、
前記鏡面反射面側から、透明樹脂層、鏡面箔状金属層、接合層、黒色不織布層からなる層構造であることを特徴とする、
請求項１に記載する、リバ−シブル農業マルチシ−ト敷設ハウス。
【請求項３】
前記農業マルチシ−ト材料の層構造において、
前記黒色不織布層の色相が、明度Ｎ６以下の実質的に黒色であることを特徴とする、
請求項１、および２に記載する、リバ−シブル農業マルチシ−ト敷設ハウス。
【請求項４】
前記農業マルチシ−ト材料の層構造において、
前記透明樹脂層、前記鏡面箔状金属層、前記接合層、ならびに前記黒色不織布層からなる一体層に、前記一体層を貫通する微小穿孔群を有することを特徴とする、
請求項１、２、および３に記載する、リバ−シブル農業マルチシ−ト敷設ハウス。
【請求項５】
前記農業マルチシ−トの層構造において、
前記透明樹脂層と前記鏡面箔状金属層の一体層が、アルミニウムメタライジング樹脂フィルムでり、
前記透明樹脂層がポリエステル樹脂、前記黒色不織布層の大部分が黒色のポリエステル繊維、ならびに前記接合層の大部分がポリエチレン樹脂であることを特徴とする、
請求項１、２、３、および４に記載する、リバ−シブル農業マルチシ−ト敷設ハウス。
【考案の詳細な説明】
【技術分野】
【０００１】  本考案は、農土を覆って使用するなどの農業用シ−トに係わり、敷設時の外面において、表裏で使用目的を異にするリバ−シブルな、農業用シ−トを敷設した農業施設に関する考案である。
【背景技術】
【０００２】  従来より、農土などの土壌を覆って使用する農業用シ−トがある。
前記農業用シ−トのうち、果実畑や林業地などにおいて、雨水を適度にカットし、太陽光線を上部に反射させて栽培植物の光合成を助け、下部土壌においては太陽光線を遮断して雑草の生育を防ぐなど、多目的の農業用マルチシ−トがある。【０００３】  次に、農土などの土壌を覆って使用する農業用シ−ト関連の文献の例を示す。
【特許文献１】特開平６−２０９６４５
【特許文献２】実用新案登録３０７８７０２
【非特許文献１】朝日新聞；１１月６日朝刊１３版、朝日新聞大阪本社（２００４）
なお、引用文献からの引用文、及びその説明は、前記引用文の表現をそのまま用いるものとする。【０００４】  「特許文献１」は、葱畑において、ある程度成長した葱の少なくとも株元の部分を、遮光性のシ−トで覆って光を当てないように栽培し、白葱を得る栽培法、ならびに断熱シ−トの開示である。
すなわち「特許文献１」には、断熱シ−トの構造として段落番号「００１１」に、「・・・光反射面を有する遮光性の断熱シ−トである。即ち、実質的に光を通さず、且つ少なくとも一方の面が光を反射するようになっているものである。
このようなものとしては、例えば、気泡緩衝シ−ト７の少なくとも一部をアルミニウム蒸着フィルムやアルミニウム粉末を練り込んだフィルムとしたものや、これらのフィルムを気泡緩衝シ−トに貼り合わせたもの等が用いられる」、と開示されている。【０００５】  「特許文献２」は、本考案者による考案で、登録された実用新案である。
「特許文献２」は、鏡面反射面を有する農業土壌覆いマルチシ−トに関する開示であり、その目的とするところは、鏡面反射特有の人の視覚に不快なぎらぎら光るグラリング（ｇｌａｒｉｎｇ）欠陥なしに、太陽光線を上部に反射して植物の光合成を促進し、果実植物の場合には、前記果実の下部の着色を促進するという内容である。【０００６】  「特許文献２」の、段落番号「０００７」に、「これらシ−トに太陽光線を積極的に反射させるために、アルミ箔などの鏡面反射材を外層に貼付したシ−トがある」、と開示されている。
また、段落番号「００１４」に、「・・・合成樹脂フィルムに鏡面箔状金属が接合されていて、かつ微小穿孔群を有し・・・」、と開示され、前記微小穿孔群について、段落番号「００１５」に、「穿孔形状が縫い目様穿孔形であって、・・・」、と開示されている。【０００７】  「特許文献２」において、段落番号「０００９」には、「農土への雨水の適度な抑制と太陽光線の上方反射によって、光合成を助け糖度等を向上させる」と開示されている。
また、シ−ト下部の土壌に対しては、同じく、段落番号「０００９」に、「遮光することで陽光を遮断しシ−ト下の雑草の生育を阻止する。農土から炭酸ガスなどの気散、農土の蒸れを防止することによる樹勢を増進させる」、と開示されている。【０００８】  「非特許文献１」は、栽培中の果実の下の部分に日が当たるように、果実樹の下にアルミ箔を敷くことについての新聞のコラム記事である。
すなわち、「非特許文献１」の前記コラム記事には、「・・・銀色にまぶしく輝くものが山に敷かれているのを見て不思議に思った。りんご畑にアルミ箔を敷いているのです。実の下の部分にもたっぷり日があたるようにするためです」、との記載がある。
【考案の開示】
【考案が解決しようとする課題】
【０００９】  農業分野において、近年、野菜、果実、あるいは花などの農作物の栽培に、作物の成長を早めるためや、寒冷期にも作物の栽培が可能なように、温室栽培法、すなわちハウス栽培が採用されている。
かかる温室栽培法について、本考案では以降、温室をハウス、温室栽培をハウス栽培と称する。
ハウス栽培には、ガラスハウスの他、ビニルハウスとも呼ばれる透明な硬質あるいは軟質合成樹脂シ−トを使用するハウスが盛んに採用されている。
なお、温室のガラスに代えて合成樹脂シ−トが用いられるようになった当初は、ＰＶＣ（ポリ塩化ビニル）シ−トが用いられていたが、ＰＥ（ポリエチレン）樹脂などのシ−トなども用いられるようになった。【００１０】  かかるハウス栽培においては、陽光を透明あるいは半透明のガラスや合成樹脂シ−トの壁面や屋根部とすることでハウス内に陽光を取り入れて、ハウス内部を加温し、ハウス内部の熱を逃がさない構造となっている。
場合によっては燃焼によるヒ−タ−、電熱によるヒ−タ−などによる積極的な加熱によってハウス内の気温を上げ、冬季でも栽培に適するハウス内の気温環境で農作物を栽培できるようにしている。【００１１】  植物は動物と同様に呼吸で酸素を消費し、炭酸ガスを放出するが、一方太陽光などの光を受けると葉緑素の炭酸同化作用によって炭酸ガスを消費し、酸素を放出する。
この収支の結果として、夜間は炭酸ガスを、昼間は酸素を放出するので、ハウス内の気密性が高ければ、必ずしも栽培する植物に馴染む空気環境を維持できない。
したがって、外気に対してハウス内を常に気密状態や凖気密状態にはできない。
このために、ハウス内の空気成分の調整や温度の調整用として、開閉可能な天窓を設けたり、壁面に開閉可能な壁窓を設けるなどして、適宜外気と空気交換を行う仕組みが必要となる。
また、夏季など高温期には前記天窓や前記壁窓などを開いて、ハウスのハウジングの一部を開口する必要がある。【００１２】  春季から秋季などの農林害虫の多い温暖な季節において、ハウスの前記天窓や前記壁窓などから、農林害虫が飛来侵入し、ハウス内で栽培している果実、野菜などの農作物が被害を蒙ることがある。
また、オンシツコナジラミなどハウス内部で発生する農林害虫の被害の発生も見られる。
さらに、スズメ、ヒワなど小型の鳥類がハウス内に侵入することがあり、鳥害を蒙ることがある。
また、農林害虫の飛来の少ない冬季の寒冷期には、ハウスの目的は加温に重点が移り、積極的に加温することが行われている。【００１３】  農作物に被害を与える主要農林害虫は、葉、茎、果実などを食害するニカメイチュウ、ヨトウガ、コガネムシなど、あるいは、吸汁をし、また病原を伝えるウンカ、ヨコバイ、アブラムシなど、あるいは、産卵の害を与えるカミキリ、ハバチ、ゾウリムシ類、あるいは、営巣で害を与えるアリ、ハチなどがあげられる。
また、オンシツコナジラミ、ヒラズハナアザミウマなどハウス内部で発生する農林害虫も存在する。
また、鳥害についての第一は播種期の鳥害で、播種した種子や発芽直後の芽ばえが食害を受ける場合であり、第二は結実期の鳥害で、登熟中の穀類や豆類が受ける食害で、特に果実の場合、成熟中の果実の食害は切実な問題である。
ハウス栽培においては、特定の作物を小面積に高密度で作付けするため、農林害虫の集中被害を受けやすいゆえ、ハウス栽培特有の農林害虫からの被害の防御策が望まれている。
また、スズメなどの小鳥による鳥害の防御策も望まれている。【００１４】  ハウス栽培の他方の目的は、冬季の寒冷期におけるハウス内の保温や加温である。
農林害虫の多い温暖な季節には、虫害防止に効果があり、さらに鳥害の防御にも効果があって、必要に応じ寒冷期には太陽光を利用した保温、あるいは積極的な加温の役割を果たす仕組みの提供が望まれている。
つまり、温暖期における虫害防止ならびに鳥害防御と、寒冷期における加温とを適宜使い分けできる農業資材の提供が望まれている。【００１５】  本考案は、上記ハウス栽培に係わる課題を考慮して、農林害虫の多い温暖期には、虫害や鳥害防止に効果があって、寒冷期においては必要に応じて加温の役割を果たすことができる、虫害防止や鳥害防御と、ハウス内気温の加温とを、時期的に適宜使い分けができる、一つの資材ならびにその敷設構造を提供することを目的とする。
【課題を解決するための手段】
【００１６】  本考案の目的に鑑み、考案者は鋭意検討の結果、以下の考案に至った。
すなわち  図１あるいは図３に描く如く、温室栽培用のハウスの近周土壌面、および／または前記ハウスのハウジング１の外面の一部、および／または前記ハウス内の土壌面に、図２に描く如きシ−ト１３の表裏の一方の面が実質的に鏡面反射面１４で、他方の面が実質的に黒色不織布面１５である農業マルチシ−ト材料が、図２に示す鏡面反射面１４、あるいは黒色不織布面１５を外面として、どちらかで敷設されていることを特徴とする、リバ−シブル農業マルチシ−ト敷設ハウスの考案に至った。【００１７】  また、前記農業マルチシ−ト材料の層構造において、図４において上部の前記鏡面反射面２３側から、透明樹脂膜層２４、鏡面箔状金属層２５、接合層２８、黒色不織布層２９からなる層構造であることを特徴とする、リバ−シブル農業マルチシ−ト敷設ハウスの考案である。
また、前記農業マルチシ−ト材料の層構造において、図４に描く如く、黒色不織布層２９の色相が、明度Ｎ６以下の実質的に黒色であることを特徴とする、リバ−シブル農業マルチシ−ト敷設ハウスの考案である。【００１８】  また、前記農業マルチシ−ト材料の層構造において、図４に描く如く、透明樹脂膜層２４、鏡面箔状金属層２５、接合層２８、黒色不織布層２９からなる一体層に、前記一体層を貫通する微小穿孔群を有することを特徴とする、リバ−シブル農業マルチシ−ト敷設ハウスの考案である。【００１９】  また、前記農業マルチシ−トの層構造において、図４に描く如く、透明樹脂層２４と鏡面箔状金属層２５からなる一体層がアルミニウム・メタライジング樹脂フィルムであり、透明樹脂層２４がポリエステル樹脂、黒色不織布層２９の大部分が黒色のポリエステル繊維、ならびに接合層２８の大部分がポリエチレン樹脂であることを特徴とする、リバ−シブル農業マルチシ−ト敷設ハウスの考案である。
【考案の効果】
【００２０】（１）  本考案のリバ−シブル農業マルチシ−ト敷設ハウスの使用により、リバ−シブル農業マルチシ−ト材料の鏡面反射面を外側、つまり太陽側にして敷設すれば、ぎらぎら反射するグラリング作用を農林害虫や鳥類が忌避して、ハウスに近づかない効果がある。
また、ハウス内においては、ぎらぎら反射するグラリング作用を嫌って、ハウスへ侵入した農林害虫や、ハウス内で発生した農林害虫をハウス域外への逃避を促すことができる。
したがって、ハウス栽培の作物からの虫害や鳥害を防ぐこと、あるいは軽減させることができ、農作物の品位を向上させ、農業生産性を向上させることができる。
（２）  また、同じリバ−シブル農業マルチシ−ト材料を裏返して敷設すれば、黒色不織布面が外側になり、黒色不織布を構成する黒色繊維集合体の放射率（ｅｍｉｓｓｉｖｉｔｙ）が極めて高いので、太陽光を熱エネルギに効率よく転換し、敷設部分の土壌やハウス内の気温が加温され、ハウス内の温度上昇をきたし、ハウス栽培作物の冷害を防ぐ。
また、ヒ−タ−使用の場合には加温を助け省エネルギに寄与し、ハウス栽培作物の生育効果などを高めることができる。
（３）  本考案のリバ−シブル農業マルチシ−ト敷設ハウスは、リバ−シブル農業マルチシ−ト材料の鏡面反射面を外側にしてハウスの近周土壌面に敷設したとき、ハウスの透明な壁面などから太陽光の鏡面反射面による反射光の一部が入ることにより、また、ハウス内土壌面に敷設した場合、ハウス内の太陽光線を上方に反射して、栽培作物の光合成を高める効果もある。
（４）  本考案のリバ−シブル農業マルチシ−ト敷設ハウスに用いる、リバ−シブル農業マルチシ−ト材料に微小穿孔群を設けた場合、主として下面と外気との空気交換が行われ、下面における細菌などの発生を抑制し、カビなどの発生を防ぐ。
（５）  本考案のリバ−シブル農業マルチシ−ト敷設ハウスは、リバ−シブル農業マルチシ−ト材料が安価で、敷設は従来から知られている軟質シ−ト類の係止法を利用して固定するなどして簡単に敷設できるので、材料、敷設のコストが低廉で、極めて経済的である。
（６）  本考案の適用に当たっては環境負荷を伴わない利点がある。
【考案を実施するための最良の形態】
【００２１】  考案の実施の形態について図面を参照して説明する。
図１は、本考案のリバ−シブル農業マルチシ−ト敷設ハウスの実施の一例を示す俯瞰略図である。
図１の温室栽培用ハウスの例では三連棟ハウスの例であり、前記ハウスは、透明あるいは半透明の、ガラス、あるいは硬質または軟質合成樹脂製の壁面部と同屋根部とで作られているハウジング１によって構成されている。
また、図１の前記ハウジング部と透視部分略図との境界を示す波形線１０によって囲まれた透視部分略図１１によって、ハウジング１の内部の一部を示し、栽培農作物９などを描いている。【００２２】  ハウスの大きさは、一棟の間口が大凡３ｍから１０ｍ程度、棟の最高部の高さが大凡２ｍから６ｍ程度、棟の奥行きの長さが大凡１０ｍから１００ｍ程度のものがある。
なお、図１に描くハウスは、三連棟ハウスの場合の例であるが、本考案は単棟でも四連棟以上の場合でも適用できる。
図１において、ハウスのハウジング１の外周の短波形群によって描いている部分は外周土壌面２であり、外周土壌面２に連なる近周土壌面は、リバ−シブル農業マルチシ−ト敷設部３の下部に隠れている。【００２３】  前記ハウスのハウジング１の屋根部には、開閉可能な天窓部４を設けたり、また壁面に開閉可能な壁窓部５を設けるなどして、適宜外気と空気交換ができるようにしている。
ハウジング１の近周土壌面を覆う前記農業マルチシ−ト敷設部３は、図１においては、鏡面反射面側を外面として敷設した近周土壌面上の前記農業マルチシ−トの鏡面反射面６で、これをドット群で示している。
また、ハウジング１の一部を覆う前記農業マルチシ−ト敷設部３は、図１においては、天井部の縁側を覆う鏡面反射面側を外面としたハウス屋根部の前記農業マルチシ−トの鏡面反射面７で、これをドット群で示している。
また、図１において、部分透視図１１は、ハウス内部の一部を描く斜視略図であるが、栽培農作物９、ならびにハウジング１内の前記農業マルチシ−ト敷設部を描いていて、鏡面反射面を外面としたハウス内土壌面の前記農業マルチシ−トの鏡面反射面８で、これをドット群で示している。【００２４】  このように、前記農業マルチシ−ト敷設部３は、図１に描く如くハウジング１の屋根部の一部に敷設してもよく、図１には描いてないがハウジング１の壁面部の一部に敷設してもよく、さらにハウス内土壌面に敷設してもよい。
なお、前記するように前記農業マルチシ−ト敷設部の三つの敷設場所は、各々単独でも、任意二者の併用でも、三者の併用でもよい。
本考案の前記農業マルチシ−ト材料の土壌やハウジング材への係止法は、ペグ、ボタン式、面状ファスナ−式など、従来から知られている係止法で固定する。【００２５】  図１における、ハウジング１の近周土壌面を覆うドット群で示す前記農業マルチシ−トの鏡面反射面６、ハウジング１の屋根部の一部を覆うドット群で示す同前記鏡面反射面７、あるいはハウス内土壌面を覆うドット群で示す同前記鏡面反射面８によって、太陽光が反射し、ぎらぎら反射するグラリング作用によって農林害虫が近寄らない。
さらにハウス内部においては、ハウス内で発生する農林害虫などを、ハウス内のぎらぎら反射するグラリング作用によってハウス域外への逃避を促すことができる。
また、鳥類もグラリング作用を嫌って、ハウスに近寄らない効果もある。
したがって、天窓部４や壁窓部５を開口した状態でも、前記ハウス内部の作物は農林害虫や鳥害を殆ど蒙らない。
ぎらぎら反射するグラリング作用によって農林害虫や鳥類が近寄らない理由は、虫類や鳥類が反射光に危険を感じて、本能的に接近しを回避したり、逃避するためであると考えられる。【００２６】  ハウスの近周土壌面へのリバ−シブル農業マルチシ−ト敷設部３の大きさの目安は、ハウスの大きさにもよるが、ハウスのハウジングの四周壁面の根元の端から、少なくとも大凡０．５ｍ程度以上とすることが望ましい。
一例として、図１の如く三連棟のハウス場合の目安は、ハウジングの長手方向における両端棟、および各棟の間口方向の各壁面の根元の端から大凡１．５ｍ程度とした例である。【００２７】  また、ハウスのハウジング１の一部を覆う前記農業マルチシ−ト敷設部３の敷設位置は、太陽光を受け易く、俯瞰状態で目視し易く、且つ太陽光が前記ハウジング内に入るのを著しくは妨げない位置と大きさであること望ましい。
したがって、図１の前記農業マルチシ−トの鏡面反射面７の位置のように、例えば屋根部の庇近傍の位置、また連棟ハウスの場合は、各ハウス間の屋根の境界の谷状部の位置が望ましい。
また、前記ハウジングの一部に敷設する前記農業マルチシ−ト敷設部３の大きさは、前記ハウジングを構成する屋根面と壁面の合計面積の大凡１／５程度以下が望ましいことが経験的に分かった。
また、ハウス内の土壌に敷設する場合、図１に示す透視部分略図１１に描く如く、帯状に敷設するときは、栽培農作物９の畝間の前記農業マルチシ−トの鏡面反射面８の帯幅は、大凡０．６〜１ｍ程度がよいことが分かった。【００２８】  図２は、本考案に用いるリバ−シブル農業マルチシ−ト材料の一部分を描く斜視略図で、図における裏面側が目視できるように描いている。
図２において、前記農業マルチシ−ト材料１３のシ−ト表裏の一方の面が実質的にドット群で描く鏡面反射面１４、他方の面が短線形群で描く黒色不織布面１５となっている。
鏡面反射面１４の反射特性は高ければ高いほどよいが、ぎらぎら光るグラリング効果が発揮される範囲の検討の結果、その範囲はＪＩＳ  Ｚ  ８７４１−１９９７  方法４（４５度法）の鏡面光沢度で、大凡８０％程度以上、好ましくは大凡９０％程度以上であることが経験的に分かった。【００２９】  図１は、図２に描くリバ−シブル農業マルチシ−ト材料１３を用いて、ドット群で描く鏡面反射面１４を外面として、近接土壌面上の前記農業マルチシ−トの鏡面反射面６、ハウスのハウジング上の前記農業マルチシ−トの鏡面反射面７、およびハウス内土壌への前記農業マルチシ−トの鏡面反射面８とした場合の例で、この面をおのおのドット群で示している。
このように敷設すれば、ぎらぎら反射するグラリング作用によって農林害虫が近寄り難くなり、虫害の防止や軽減化ができ、合わせて鳥害も防ぐことができる。【００３０】  また、図２に描くリバ−シブル農業マルチシ−ト材料１３は、図において裏面側が実質的に黒色不織布面側１５となっていて、この面を短線形群で示してしている。
図３は、図１の、図において上部右端の部分を描いた俯瞰略図であり、図２におけるリバ−シブル農業マルチシ−ト材料１３の黒色不織布面側１５を外面にして敷設した例であり、この面を短線形群で示してしている。
図３において、ハウジング１、天窓部４、壁窓部５については図１と同様である。
図３における前記農業マルチシ−ト敷設部３については、図２に描く前記農業マルチシ−ト材料１３の短線形群で描く黒色不織布面１５を外面にして、図３の黒色不織布面１７としてハウジング１の近周土地面に敷設されている。
また、図２に描く前記農業マルチシ−ト材料１３の短線形群で描く黒色不織布面１５を外面にして、ハウスのハウジング１に部分的に黒色不織布面１８としてその屋根部に敷設されている。
また、図示はしていないが、図２に描く前記農業マルチシ−ト材料１３の短線形群で描く黒色不織布面１５を外面として、ハウス内土壌面に適用してもよい。【００３１】  図３におけるハウジング１の近周土壌面を覆う、黒色不織布面側を外面とした近周土壌面の前記農業マルチシ−トの黒色不織布面１７、あるいはハウジング１の屋根部の一部を覆う、黒色不織布面側を外面としたハウス屋根部の前記農業マルチシ−トの黒色不織布面１８によって、太陽光を吸収し、前記農業マルチシ−ト敷設部３が加熱され、覆われた土壌やハウジングが加熱され、ハウス内の温室としての保温を高め、加温効果を発揮する。
これをハウス内土壌面にも適用すれば、さらに加温が高められる。
かように、リバ−シブル農業マルチシ−ト敷設ハウスの名称の由来は、表裏両面のどちらを外面にして敷設するかによって、ハウス内環境において別々の機能を発揮するゆえの名称である。【００３２】  図４は、図２に描くリバ−シブル農業シ−ト材料１３の層構造の一例を示す断面略図である。
図４における上部は鏡面反射面２３で、下部は黒色不織布面３０である。
図４に描く前記層構造において、図４において上部層から透明樹脂膜層２４、鏡面箔状金属層２５、樹脂層２６、および樹脂層２６の樹脂と黒色不織布層２９の繊維との混合層２７からなる接合層２８、黒色不織布層２９からなる層構造である。【００３３】  前記透明樹脂膜層は、鏡面箔状金属面を保護する機能で、ＰＥＴ（ポリエステル）樹脂が一般的であるが、Ｎｙ（ナイロン）樹脂、ＰＶＣ樹脂、ＰＬＡ（ポリ乳酸）樹脂など、当業者に知られている樹脂を任意に用いることができる。
しかしながら、前記透明樹脂層と前記鏡面箔状金属層とが両者一体となって供給されているメタライジング・フィルムの場合は、金属蒸着などのメタライジング時のベ−スフィルムであり、加工時に必要であると共に鏡面箔状金属面を保護する役割である。【００３４】  前記メタライジング・フィルムは、真空蒸着、メッキ、あるいはスパッタリングなどによる方法で作られる。
透明樹脂フィルムやシ−トに、別に用意した鏡面金属箔を接合したものでも、勿論適用できる。
しかしながら、コストなどの面から、真空状着アルミニウムなど、メタライジングフィルムを用いるのが一般的である。【００３５】  前記リバ−シブル農業マルチシ−ト材料全体の強度は、接合層２８、黒色不織布層２９によって補強されるゆえ、前記透明樹脂層と前記鏡面箔状金属層との両者の一体フィルムは、鏡面反射面として機能する範囲の厚さでよい。
考案者の実験によれば、鏡面箔状金属層は可視光線透過率で大凡０．２％程度以上となる量でよく、可視光線透過率０．２％は、昼間の外の景色を透かして目視して、前記景色が何とか見える程度の僅かの金属の量である。
したがって、前記透明樹脂層と前記鏡面箔状金属層との両者一体フィルムの全体の厚さは、大凡２０μｍ程度以上でよく、うち鏡面箔状金属層の厚さは大凡０．１μｍ程度以上の厚さで鏡面反射機能を十分果たす。【００３６】  前記接合樹脂層の樹脂は、ＰＥ樹脂が一般的であるが、ＰＰ（ポリプロピレン）樹脂、ＰＶＣ樹脂、ＰＥＴ樹脂、Ｎｙ樹脂、あるいはＰＬＡ樹脂など、当業者に知られている樹脂を任意に用いることができる。【００３７】  前記黒色不織布層を構成する繊維は、ＰＥＴ繊維が一般的であるが、ＰＰ繊維、ＰＥ繊維、Ｎｙ繊維、ＰＡＮ（ポリアクリロニトリル）繊維、ビニロン繊維、セルロ−ス繊維など、当業者に知られている繊維を任意に用いることができる。
不織布形態を維持するための繊維集合体の結合様式は、構成繊維自身の絡みによるもの、構成繊維の部分溶融によるもの、バインダ樹脂によるものなどが適用できるが、不織布は大部分が繊維集合体であるものを指す。
不織布の如き布状の黒色の繊維集合体の場合、物体の熱放射の輝度と、同温度の純黒体の熱放射の輝度との比で示される放射率が１に近いので、太陽光を吸収して効率のよく発熱する。【００３８】  繊維の黒色化は、合成繊維や再生繊維の場合、繊維製造時に顔料としてカ−ボン微細粉末を練込む方法が一般的であるが、カ−ボン以外の無機あるいは有機の黒色顔料を用いることができるが、染色による方法でもよい。
不織布は、紡糸と同時に布状化するスパンボンド法不織布、フラッシュ紡糸不織布、あるいはニ−ドルパンチ不織布や抄紙法不織布など、当業者に知られている不織布を任意に用いることができる。
不織布を構成する繊維の繊度は、大凡０．１〜２５  ｄｔｅｘ（デシテックス）程度まで広範囲に適用できる。
黒色不織布は太陽光を受けて発熱し、箔状金属を通して下部に熱を伝達する機能であるので、前記機能のための厚さはそれほど大きくなくてもよく、前記黒色不織布の単位面積当たりの質量は、大凡２０ｇ／ｍ２程度以上でよい。【００３９】  以上説明の各部材による、図４に描く如きリバ−シブル農業マルチシ−ト材料への接合加工法は、例えば、ＴダイでＰＥ樹脂などを溶融押出しした膜状溶融樹脂を、アルミニウム蒸着ＰＥＴフィルムと、黒色不織布とで、前記膜状溶融樹脂が固化しないうちに夾み、圧着して得られる溶融押出しラミネ−ト法が一般的である。
しかしながら、当業者に知られている他の接合加工法を任意に用いることができる。【００４０】  本考案のリバ−シブル農業マルチシ−ト敷設ハウスに適用する、前記農業マルチシ−ト材料の鏡面反射面の裏側の黒色不織布面を、太陽光が当たる外側とし加温に利用する場合、太陽光を受けて高効率で発熱する必要がある。
合成繊維、再生繊維ならびに天然繊維とも、その色相に係わらず不織布などの繊維集合体自体は、放射率が比較的高いものであるが、実質的に黒色であると、さらに放射率が高くなって、太陽光を受けて著しく加熱することが知られている。【００４１】  太陽光の放射を受けることによる発熱の程度の指標として、各水凖の明度になるようにＰＥＴスパンボンド不織布を試作し、その放射率との関係を検討した。
明度は、ＪＩＳ  Ｚ  ８７２１−１９９３で示される明度とした。
結果は、明度Ｎ１（黒）からＮ６（濃グレイ）までは放射率が大凡０．９以上であったが、これより明度Ｎ１０（白）寄りになると、その境界は定かでないが放射率が０．８を下回ることが分かった。
したがって、本考案に適用される黒色不織布は、明度が大凡Ｎ６以下程度である実質的に黒色であれば、太陽光を吸収して効率よく発熱することが分かった。【００４２】  ところで、本考案のリバ−シブル農業マルチシ−ト敷設ハウスに適用する、リバ−シブル農業マルチシ−ト材料に、その表裏を貫通する微細穿孔群を設けてもよい。
すなわち、図４に描くの如きリバ−シブル農業マルチシ−ト材料に、微小穿孔群を設けて、敷設裏面と土壌、あるいは敷設裏面と前記ハウジングの材料との境界部に含まれる空気と外気との交換などを行わせる目的のためである。【００４３】  前記農業マルチシ−ト材料の敷設部の下部土壌に含まれる空気と外気との交換を、あるいは前記農業マルチシ−ト材料の敷設部の下部ハウジング材料との間に含まれる空気と外気との交換を、微細穿孔群によって行わせることによって、晴天時などには、これに伴う乾燥効果で微生物の生育を防止し、特に嫌気性の微生物の発生を抑制し、カビ発生や腐敗を防ぐ効果がある。【００４４】  微小穿孔群は、樹脂フィルム、紙類などに適用されているボンチ（ｐｕｎｃｈ）や錐（ａｗｌ）など、また、熱溶融性材料にあっては加熱ピンなどで孔を穿つ方法などがある。
この方法の穿孔の特徴は、孔を穿つ孔の部分の材料を欠く穿孔であり、切手シ−トの切り離し様穿孔列の如く、空き放しの孔で、いわば「切手シ−ト様穿孔形」である。
本考案の、リバ−シブル農業マルチシ−ト敷設ハウスに適用する、リバ−シブル農業マルチシ−ト材料の微小穿孔群は、このような切手シ−ト様穿孔形でも本考案のリバ−シブル農業マルチシ−ト材料に適用できる。【００４５】  図５は、連続させると縫い目のように見えるところから、「縫い目様穿孔形」とも、「切込み穿孔形」とも呼称する穿孔による、微細穿孔群の一個を示す斜視略図であり、「特許文献２」にも示されている本考案者による考案である。
前記切込み穿孔形の穿孔形の特徴は、穿った孔の部分の材料に切込みを入れるだけで、穿った孔の部分の材料を欠かない穿孔形である。
図５において、切込み部３６の穿孔周辺が、回転式ドアの扉の如く、表裏の圧力差などに応じて、弁３７〜４０が開閉するようになっていて、開いていない場合には単に切込みがあるだけの状態である。【００４６】  前記切込み穿孔形の穿孔には、逆止弁の如き作用がある。
つまり、図５において、矢印４１方向からの圧力がかかると、切込み穿孔形の穿孔は閉じる傾向になり、矢印４２方向からの圧力がかかると、切込み穿孔形の穿孔は開く傾向になる。
したがって、本考案のリバ−シブル農業マルチシ−ト材料を、図５において上側を外側にして敷設すれば、降雨時には雨滴の落下圧力で、弁３７〜４０が閉じ傾向で、雨水が下側に至るのを抑制する。
また、非降雨には土壌温度の上昇などに伴って弁３７〜４０が上側に開き、空気の交換が容易に行われて、リバ−シブル農業マルチシ−ト材料の下面の乾燥が促進される。
かような、逆止弁的な作用も加わる、前記切込み穿孔形の穿孔による微細穿孔群の採用を本考案に適用すれば、本考案のリバ−シブル農業マルチシ−ト敷設ハウスの耐久性などをさらに向上することができる。【００４７】  本考案のリバ−シブル農業マルチシ−ト敷設ハウスに適用する、リバ−シブル農業マルチシ−ト材料に微小穿孔群を設ける場合の穿孔密度の目安は、その穿孔形にかかわらず１個の長手方向の切込み長を０．４５ｍｍとした場合、大凡５０，０００個／ｍ２程度で、その穿孔率Ｓは、大凡０．３％程度がその目安である。
ここに、穿孔率Ｓとは、Ｓ＝（Ｄ×ａ／Ａ）×１００（％）で示される値で、Ｄは穿孔密度（個／ｍ２）、ａは穿孔１個の穿孔面積（ｍ２）、Ａは穿孔材料の単位面積（ｍ２）である。
【実施例】
【００４８】  テスト用ハウスとして九州地区において、図１に描く如き、三連棟のハウスにて本考案の効果を検討した。
ハウスの一棟の間口は３．５ｍ、棟の最高部の高さが２．５ｍ、奥行き長さが１０ｍの棟による、図１に描く如き三連棟のハウスを、互いに２００ｍ程度離れた、周囲環境のほぼ同様な農地におのおの１施設づつ据えた。
一方の棟を本考案の実施ハウスとし、他方の棟を従来のハウスとした。
本考案の前記実施ハウスと、従来のハウスとも、作付け作物はトマトとし、夏季収穫ものとして三月初旬播種、四月中旬に苗を定植した。
また、ハウス域内の土壌の交換後、冬季収穫ものとして八月初旬に播種、九月中旬に苗を定植した。【００４９】  本考案の実施ハウスにおいては、農林害虫防御用として、図２に示す如きリバ−シブル農業マルチシ−ト材料１３の鏡面反射面側１４を外面として、図１に描くようにハウスの間口方向、奥行き方向ともハウジング１の根もとから近周土壌面上に１ｍの幅でハウスを囲み、ドット群で示す前記農業マルチシ−トの鏡面反射面６とした。
前記農業マルチシ−ト敷設部３の外周は、短波形群で示す外周土壌面とした。
また、ハウスの屋根上の前記農業マルチシ−ト敷設部３は、間口方向の幅を各０．５ｍ、奥行き方向はハウス全長とし、図１のに描く如きドット群で示す前記農業マルチシ−トの鏡面反射面７とした。
また、図１の透視部分略図１１に描くように、栽培農作物９間のハウス内土壌の通路部に敷設し、約０．８ｍ幅でドット群で示す帯状で前記農業マルチシ−トの鏡面反射面８とし、栽培農作物９の畝幅は約０．８ｍとした。
他方、従来のハウスとして、ハウジングの条件は本考案の実施ハウスと同様であるが、近周土壌面はそのままで、外周土壌面に連なるようにした。
また、屋根上にも、ハウス内土壌にも適用しなかった。【００５０】  本考案の前記実施ハウスおよび前記従来のハウスを据えた時季は三月初旬で、昼間の時間帯の適時に図１に示す屋根部の天窓部４を開口した。
また、本考案の前記実施ハウスについては、十二月〜翌年二月の期間は、図１に示すハウス近周土壌への前記農業マルチシ−トの鏡面反射面６を裏返して、黒色不織布面１７、およびハウスのハウジングへの前記農業マルチシ−トの鏡面反射面７を裏返して、黒色不織布面１８とした。
つまり、図２に示す前記農業マルチシ−トの黒色不織布面１５を外面にして、図３に示すように、短線形群で示す近周土壌面への前記農業マルチシ−トの黒色不織布面１７、およびハウスのハウジングへの前記農業マルチシ−トの黒色不織布面１８とし、ハウス内土壌面を覆う前記シ−トも同様とした。【００５１】  三月〜十一月の農林害虫による被害調査の結果、播種期については、本考案の前記実施ハウスにおいては、種子と新芽に虫害をほとんど受けなかったのに対し、前記従来のハウスについては、種子段階では差がなかったものの新芽がコガネムシ、ニカメイチュウなどによる蚕食が、本考案の前記実施ハウスに比較して有意な差がある程度に見られた。【００５２】  結実期においては、前記従来のハウスについては、オンシツコナジラミの発生によって成熟中のトマトが着色異常になり商品価値が低減し、また、シルバ−リ−プコナジラミ、ヒラズハナアザミウマなどの発生も見られた。
これに対し、本考案の前記実施ハウスについては、これらの害虫の発生は殆ど観察されなかった。
また、本考案の前記実施ハウスにおいては、全く鳥の侵入がなかったが、前記従来のハウスについてはスズメなどの小型鳥の侵入が度々見られた。【００５３】  次に、図２に描くリバ−シブル農業マルチシ−ト材料１３の黒色不織布面１５を外面として、図３に示す如く短線形群で示される前記農業マルチシ−ト黒色布織譜面１７および１８として、十二月〜翌年二月の期間で、本考案の前記実施ハウス内の加温作用の検討を行った。
本考案の前記実施ハウス内、および前記従来ハウス内に、記録式温度計を設置して比較検討した。
一例として、前記従来ハウス内の二月中の最低気温日の最低気温時間における両ハウス内の温度比較において、本考案の前記実施ハウス内の温度は前記従来ハウス内に比較して、凡１℃程度高いことが確認された。
また、外気温が高いと両ハウスの温度差は大きく、外気温が低いと両ハウスの温度差は小さくなる傾向が認められた。【００５４】  このように、本考案のリバ−シブル農業マルチシ−ト敷設ハウスは、農林害虫の多い温暖期には、前記農業マルチシ−トの鏡面反射面を外面使用し、加温の必要な寒冷期には裏返して黒色不織布面を外面使用する。
しかして、前者で虫害防止に加えて鳥害の防御、後者で土壌温度の上昇に伴うハウス内の加温やハウジングの部分加温によるハウス内加温という、二つの機能をおのおの時期的にずらして適用することによって、効果的な温室栽培用ハウスになることが分かった。
【産業上の利用可能性】
【００５５】  本考案のリバ−シブル農業マルチシ−ト敷設ハウスの使用により、リバ−シブル農業マルチシ−ト材料の鏡面反射面を外側、つまり太陽側にして敷設すれば、ぎらぎら反射するグラリング作用によって農林害虫が近寄らない。
また、ハウス内土壌面に適用すれば、ハウス内で発生する農林害虫を、ぎらぎら反射するグラリング作用によってハウス域外に追い出す効果を発揮する。
また、鳥類もハウスに近寄らない効果もある。
かように、ハウス栽培の作物からの虫害を防ぎ、鳥類の飛来を防御するゆえ、作物の品位と収量を上げることができ、特に果実栽培に効果的である。【００５６】  また、同じリバ−シブル農業マルチシ−トを裏返して敷設すれば、放射率の高い黒色不織布面が外側になり、太陽光を吸収し敷設部分の土壌や敷設部分のハウス自体が加熱され、したがって、ハウス内気温が加温され、ハウス栽培作物の寒冷対策などに利用できることが分り、ヒ−タ−加熱の場合には、省エネルギにつながる。
よって、本考案による両機能によって、本来の農業土壌覆いマルチシ−トの役割と合いまって、ハウス栽培作物の生育効果などを高めることができ、農業生産性を著しく向上することができる。
本考案のリバ−シブル農業マルチシ−ト敷設ハウスは、農作物ばかりでなく生花、庭木など園芸植物、あるいはハ−ブ栽培などにも利用できるので、応用範囲が広い。【００５７】  農林害虫の化学的防除などは環境負荷を伴い、悪臭や、人や家畜などに対する副作用も懸念されるのに対し、本考案のリバ−シブル農業マルチシ−ト敷設ハウスは、環境負荷が殆どなく、かような副作用などもない。
また敷設は、ペグ、面状ファスナ、あるいは紐などによる締結など、従来から知られている軟質シ−ト類の係止法を利用して固定でき、簡単に敷設できるので、材料、敷設のコストなどが低廉できわめて経済的である。
本考案の一つのリバ−シブル農業マルチシ−ト材料による、二つの機能の活用の仕方で、ハウス栽培法の生産性を高めることができる。
【図面の簡単な説明】
【００５８】
【図１】  リバ−シブル農業マルチシ−ト敷設ハウスの俯瞰略図
【図２】  リバ−シブル農業マルチシ−ト材料の斜視略図
【図３】  黒色不織布面を外面にしたリバ−シブル農業マルチシ−ト敷設ハウスの鳥瞰部分略図
【図４】  リバ−シブル農業マルチシ−ト材料の層構造の一例略図
【図５】  微小穿孔群における切込み穿孔形の１個の斜視略図
【符号の説明】
【００５９】    １  ハウスのハウジング
２  ハウスの外周土壌面
３  リバ−シブル農業マルチシ−ト敷設部
４  天窓部
５  壁窓部
６  近周土壌面のリバ−シブル農業マルチシ−トの鏡面反射面
７  ハウス屋根部のリバ−シブル農業マルチシ−トの鏡面反射面
８  ハウス内土壌面のリバ−シブル農業マルチシ−トの鏡面反射面
９  栽培農作物
１０  透視部分略図の境界を示す波形線
１１  ハウスの内部を示す透視部分略図
１３  リバ−シブル農業マルチシ−ト材料
１４  ドット群で描く鏡面反射面
１５  短線形群で描く黒色不織布面
１７  近周土壌面のリバ−シブル農業マルチシ−トの黒色布織布面
１８  ハウス屋根部のリバ−シブル農業マルチシ−トの黒色布織布面
２３  鏡面反射面
２４  透明樹脂層
２５  鏡面箔状金属層
２６  樹脂層
２７  樹脂と繊維の混合層
２８  接合層
２９  黒色不織布層
３０  黒色不織布面
３６  弁の端縁部
３７〜４０  弁
４１  矢印；閉じ方向の圧力方向
４２  矢印；開き方向の圧力方向
【図１】
0003109946.tif 000003
【図２】
0003109946.tif 000004
【図３】
0003109946.tif 000005
【図４】
0003109946.tif 000006
【図５】
0003109946.tif 000007